(57)【要約】      （修正有）【課題】シート定着フレームをパイプに結合させるのに適するジョイントを提供する。【解決手段】平面に左右一対の上側蟻溝Ａ、Ｂと、背面中央に形成した下側蟻溝Ｃとを備えたシート定着フレーム１をパイプＰに固定するジョイントＧにおいて、パイプＰを抱持する左右一対の挟持片２、３と、この挟持片２、３を締め付ける締付具Ｒとからなり、挟持片２、３が上記パイプＰの両側を抱き込む湾曲した抱持部４と、この抱持部４の上端に連設したフック５と、抱持部４の下端に連設して締付具Ｒが取り付けられる締付片６とで構成され、抱持部４、４を上記パイプＰの両側に当接した状態で上記フック５、５を下側蟻溝のエッジに引掛け、締付具Ｒで締付片６、６を互いに近づける方向に締め付けて上記フック５、５を下側蟻溝Ｃの両側のエッジに喰い込ませる。【選択図】図３
2010268733.tif 000002
【特許請求の範囲】
【請求項１】
平面に左右一対の上側蟻溝（Ａ）、（Ｂ）と、背面中央に形成した下側蟻溝（Ｃ）とを備えたシート定着フレーム（１）をパイプ（Ｐ）に固定するジョイント（Ｇ）において、上記パイプ（Ｐ）を抱持する左右一対の挟持片（２）、（３）と、この挟持片（２）、（３）を締め付ける締付具（Ｒ）とからなり、上記挟持片（２）、（３）が上記パイプ（Ｐ）の両側を抱き込む湾曲した抱持部（４）と、この抱持部（４）の上端に連設したフック（５）と、上記抱持部（４）の下端に連設して上記締付具（Ｒ）が取り付けられる締付片（６）とで構成され、上記抱持部（４）、（４）を上記パイプ（Ｐ）の両側に当接した状態で上記フック（５）、（５）を上記下側蟻溝（Ｃ）のエッジに引掛け、上記締付具（Ｒ）で上記締付片（６）、（６）を互いに近づける方向に締め付けて上記フック（５）、（５）を上記下側蟻溝（Ｃ）の両側のエッジに喰い込ませることを特徴とするジョイント。
【請求項２】
上記締付具（Ｒ）がボルト（Ｒ１）とナット（Ｒ２）とからなり、上記各締付片（６）、（６）にそれぞれ挿通孔（７）、（７）を設け、一方の挿通孔（７）から上記ボルト（Ｒ１）を挿通して他方の挿通孔（７）から突出させ、この突出させた部分に上記ナット（Ｒ２）を螺着することにより、上記締付片（６）、（６）を互いに近づけることを特徴とする請求項１に記載のジョイント。
【発明の詳細な説明】
【技術分野】
【０００１】
この発明は、透明な合成樹脂シートを展張した温室において、シートを定着するシート定着フレームをパイプに結合させるのに適するジョイントに関する。
【背景技術】
【０００２】
一般に、動物、植物を育成する温室として、地上に多数のアーチ状の支柱たるパイプを起立し、このパイプに対して直交するシート定着フレームと、パイプ上に沿って配設した他のシート定着フレームとがジョイントを介して結合され、これらのシート定着フレームにシートを定着させることにより、屋根面、側面全体にシートが展張されたものが使用されている。
【０００３】
この場合、パイプ上に沿ってシート定着フレームを結合するジョイントとして、例えば、引用文献１に開示されているようなものが知られている。
【０００４】
引用文献１に開示されるジョイントは、図８に示すように、挟持フレーム２０と楔３０とからなり、挟持フレーム２０は相対向する一対の挟持片２１、２２と、各挟持片２１、２２の上端を連結する支持片２３と、各挟持片２１、２２に相対向して形成された楔挿入孔２４と、各挟持片２１、２２の上端に互い違いに起立させて設けたフック２５、２５とで構成され、パイプＰの両側に各挟持片２１、２２を差し込み、楔挿入孔２４に打ち込んだ楔３０と支持片２３とでパイプＰの上下部を挟持し、支持片２３上に当接した開口巾狭の蟻溝Ｄを有するシート定着フレーム４０の両側を各フック２５、２５で係止させるものである。
【０００５】
このジョイントによれば、楔挿入孔２４に楔３０を打ち込むことによって、楔３０と支持片２３とでパイプＰの上下部を挟持し、各フック２５、２５でシート定着フレーム４０の両側を係止してシート定着フレーム４０をパイプＰに固定することができる。
【先行技術文献】
【特許文献】
【０００６】
【特許文献１】特開２００２‐３３０６３８公報
【発明の概要】
【発明が解決しようとする課題】
【０００７】
しかしながら、上記した特許文献１に開示のジョイントにあっては、シート定着フレームをパイプに固定することができる点で、特に不具合はないが、以下の改善を求められている。
【０００８】
昨今、断熱や換気等の機能を温室に持たせるため、機能の異なる複数のシートを重ねて展張したり、部分的にネットを設けたりする仕様が増加している。
【０００９】
例えば、温室の屋根面から側面上部にかけて展張される常設シートと側面下部に設けられる巻き上げ式のシートとを一つのシート定着フレームに定着させたり、温室の屋根面に展張されるシートと温室の妻面に展張されるシートとを一つのシート定着フレームに定着させたりする場合がある。
【００１０】
これに伴い、一つのシート定着フレームでより多くのシートを定着可能にした、シートを定着する蟻溝を並列に二列設けたシート定着フレームの需要が高まっている。
【００１１】
上述のように、温室の妻面にシートを展張するためのシート定着フレームに上記従来のジョイントを取り付ける場合においては、上記楔を打ち込む際の作業性が悪く、改善を求められていた。
【００１２】
また、上記二列の蟻溝を有するシート定着フレームを上記従来のジョイントを用いてパイプに固定する場合、一方の蟻溝の外郭に取り付けるか、長い楔を使用してシート定着フレームの両側を挟持するかを選択する必要があり、先の場合においては他方の蟻溝が固定されず不安定となり、後の場合においてはシート定着フレームが撓んで固定し難いという不具合があった。
【００１３】
当該不具合を改善するため、二列の蟻溝を有するシート定着フレームの中央下部にパイプを配置し、シート定着フレームの中央上部からパイプに向けてビスを挿通し、シート定着フレームをパイプに固定する方法をとっていたが、以下のような不具合がある。
【００１４】
即ち、シート定着フレームにビスが挿通されることにより生じた孔から錆が発生したり、シート定着フレームの上からビスを挿通するため、ビスを挿通する位置を正確に把握することが難しく、パイプの天面からビスがずれて滑ったりする不具合がある。
【００１５】
そこで、本発明の目的は、二列の蟻溝を有するシート定着フレームをビス等を使用せずパイプに容易且つ確実に固定することが可能なジョイントを提供することである。
【課題を解決するための手段】
【００１６】
上記課題を解決するための手段は、平面に左右一対の上側蟻溝と、背面中央に形成した下側蟻溝とを備えたシート定着フレームをパイプに固定するジョイントにおいて、上記パイプを抱持する左右一対の挟持片と、この挟持片を締め付ける締付具とからなり、上記挟持片が上記パイプの両側を抱き込む湾曲した抱持部と、この抱持部の上端に連設したフックと、上記抱持部の下端に連設して上記締付具が取り付けられる締付片とで構成され、上記抱持部を上記パイプの両側に当接した状態で上記フックを上記下側蟻溝のエッジに引掛け、上記締付具で上記締付片を互いに近づける方向に締め付けて上記フックを上記下側蟻溝の両側のエッジに喰い込ませることを特徴とする。
【００１７】
この場合において、上記締付具がボルトとナットとからなり、上記各締付片にそれぞれ挿通孔を設け、一方の挿通孔から上記ボルトを挿通して他方の挿通孔から突出させ、この突出させた部分に上記ナットを螺着することにより、上記締付片を互いに近づけることが好ましい。
【発明の効果】
【００１８】
請求項１に係る発明によれば、二列の蟻溝を有するシート定着フレームの中央に位置する下側蟻溝を固定するため安定性が良く、各締付片を近づけることにより各フックが離間されて下側蟻溝の両側のエッジに喰い込むため、二列の蟻溝を有するシート定着フレームをパイプに容易且つ確実に固定することが可能である。
【００１９】
請求項２に係る発明によれば、各締付片を遠近させることが容易且つ安価に可能であり、ジョイントを着脱する際の作業性を向上させることが可能である。
【図面の簡単な説明】
【００２０】
【図１】本発明の実施の形態におけるジョイントの縦断面図である。
【図２】本発明の実施の形態におけるジョイントの斜視図である。
【図３】本発明の実施の形態におけるジョイントを用いて、パイプにシート定着フレームを固定する際の分解斜視図である。
【図４】本発明の実施の形態におけるジョイントを用いて、パイプにシート定着フレームを固定した状態を示す横断面図である。
【図５】本発明の実施の形態におけるジョイントを用いて、パイプにシート定着フレームを固定した状態を示す斜視図である。
【図６】本発明の実施の形態におけるジョイントを利用した温室を示す部分斜視図である。
【図７】本発明の実施の形態におけるジョイントを利用した温室を示す部分斜視図である。
【図８】従来のジョイントを示す斜視図である。
【発明を実施するための形態】
【００２１】
以下、本発明の実施の形態を示すジョイントについて、図面を参照して詳細に説明する。
【００２２】
本発明の実施の形態を示すジョイントは、図３乃至図５に示すように、平面に左右一対の上側蟻溝Ａ、Ｂと、背面中央に形成した下側蟻溝Ｃとを備えたシート定着フレーム１をパイプＰに固定する。
【００２３】
そして、上記ジョイントＧは、上記パイプＰを抱持する左右一対の挟持片２、３と、この挟持片２、３を締め付ける締付具Ｒとからなり、上記挟持片２、３が上記パイプＰの両側を抱き込む湾曲した抱持部４と、この抱持部４の上端に連設したフック５と、上記抱持部４の下端に連設して上記締付具Ｒが取り付けられる締付片６とで構成され、上記抱持部４、４を上記パイプＰの両側に当接した状態で上記フック５、５を上記下側蟻溝Ｃのエッジに引掛け、上記締付具Ｒで上記締付片６、６を互いに近づける方向に締め付けて上記フック５、５を上記下側蟻溝Ｃの両側のエッジ（符示せず）に喰い込ませてなる。
【００２４】
本発明に係るジョイントＧは、当該構成を備えることにより、シート定着フレーム１の中央に位置する下側蟻溝Ｃを固定することができ安定性が良く、各締付片６、６を近づけて各フック５、５を離間させて下側蟻溝Ｃの両側のエッジに喰い込ませることから、シート定着フレーム１をパイプＰに容易且つ確実に固定することが可能である。
【００２５】
以下に本発明に係るジョイントＧについて詳細に説明する。
【００２６】
本発明に係るジョイントＧは、例えば図６、７に示すように、温室Ｈの骨組を形成するパイプＰ上に沿ってシート定着フレーム１を固定するために使用するものである。
【００２７】
即ち、温室Ｈは地上に多数のアーチ状のバイプＰを起立し、このパイプＰに沿ってシート定着フレーム１を配置すると共に横方向にも多数のシート定着フレーム１０（図７）を仮設し、各シート支持フレーム１に係止線条Ｆを介して合成樹脂等のシートＳを定着させ、屋根面や側面全域にシートＳを展張させている。
【００２８】
パイプＰに対してこれに沿うように配置したシート定着フレーム１は図３乃至図７に示すように、本発明に係るジョイントＧを介して結合される。
【００２９】
シート定着フレーム１は、例えば図３乃至図５に示すように、水平に設けられた底部１１と、この底部１１の両側から湾曲して内側に傾斜して起立する側部１２、１３からなる第一のフレーム１ａと、この第一のフレーム１ａと同一形状を有し第一のフレーム１ａと並列に設けられた第二のフレーム１ｂと、第一のフレーム１ａと第二のフレーム１ｂとが隣接するそれぞれの側部１３、１２を一体的に連結して水平に設けられた天部１４とからなる。
【００３０】
そして、上記第一のフレーム１ａと第二のフレーム１ｂにおけるそれぞれの側部１２、１３と底部１１との間には、上側蟻溝Ａ、Ｂがそれぞれ形成され、第一のフレーム１ａと第二のフレーム１ｂとが隣接するそれぞれの側部１３、１２と天部１４との間に下側蟻溝Ｃが形成されてなる。
【００３１】
次に、本発明に係るジョイントＧは、上記パイプＰを抱持する左右一対の挟持片２、３と、この挟持片２、３を締め付ける締付具Ｒとからなる。
【００３２】
上記挟持片２、３は、図１乃至図５に示すように、上記パイプＰの両側を抱き込む湾曲した抱持部４と、この抱持部４の上端に連設されてなるフック５と、上記抱持部４の下端に連設されて上記締付具Ｒを取り付けるための挿通孔７（図３）を有した締付片６とで構成される。
【００３３】
上記フック５は、抱持部４の両端に延設される部位がそれぞれ外側に折り曲げられてなり、これによりバランスよく下側蟻溝Ｃのエッジを押さえつけ、フック５の強度を得ることが可能であるがこの限りではなく、抱持部４に設けるフック５の数や、フック５を設ける方法などは適宜選択することが可能である。
【００３４】
上記抱持部４は、上記各フック５、５の間に設けられ、上記抱持部４の上端部に位置してパイプＰに沿って湾曲する爪４ａを備えている。
【００３５】
当該爪４ａを有することにより、各挟持片２、３の爪４ａ、４ａを重ね合わせてパイプＰに引掛けてジョイントＧを仮止めする際、上に重ねた一方の挟持片の爪４ａが下側の挟持片のフック５、５挟まれて横方向への移動が規制され、各挟持片２、３がずれることがなく、良好な仮止め状態を維持することが可能であり、これによりジョイントを締め付ける際の作業性が向上する。
【００３６】
尚、上記各挟持片２、３のずれの防止は、上記以外の方法により行うとしても良く、例えば各挟持片２、３の抱持部４、４の上端を連結する弾性体等を設け、当該弾性体等により各挟持片２、３を一体的に設けるとしても良い。
【００３７】
更に、上記挟持片２、３は、抱持部４から締付片６にかけて設けられた一対の縦リブ（符示せず）と、抱持部４に設けられて上記各縦リブの上端を繋ぐ横リブ（符示せず）とからなるコ字状のリブ２ａ、３ａをそれぞれ有してなる。
【００３８】
上記横リブを設けるにより、当該横リブがジョイントＧを取り付ける際の滑り止めとなり、取り付け作業が容易であるがこの限りではなく、上記横リブの構成は適宜選択することが可能であり、例えば、溝を設けるとしても良い。
【００３９】
また、上記縦リブを設けることにより、挟持片２、３に強度を持たせているがこの限りではなく、当該縦リブの形状や本数は適宜選択することが可能である。
【００４０】
尚、上記リブ２ａ、３ａの形状や本数は適宜選択することが可能であり、挟持片２、３の材質により、滑り止め機能が不要であったり、強度に問題がない場合には、必ずしもリブ２ａ、３ａを設ける必要はない。
【００４１】
次に、上記締付具Ｒは、ボルトＲ１とナットＲ２とからなり、上記各締付片６、６にそれぞれ設けられた挿通孔７、７の、一方の挿通孔７から上記ボルトＲ１を挿通して他方の挿通孔７から突出させ、この突出させた部分（符示せず）にナットＲ２を螺着することにより、上記締付片６、６を互いに近づけて締結する。
【００４２】
上記構成を備えることにより、上記抱持部４、４を上記パイプＰの両側に当接した状態で上記フック５、５を上記下側蟻溝Ｃのエッジに引掛け、上記締付具Ｒで上記締付片６、６を互いに近づける方向に締め付けて上記フック５、５を上記下側蟻溝Ｃの両側のエッジに喰い込ませ、シート定着フレーム１をパイプＰに確実に固定することが容易に可能となる。
【００４３】
即ち、各挟持片２、３を近づけることにより、パイプＰの外周に沿って各抱持部４、４が回転し、各フック５、５が離間されるため、各フック５、５を下側蟻溝Ｃのエッジに喰い込ませることができる。
【００４４】
尚、上記締付具Ｒの構成により、各締付片６、６を遠近させることが容易且つ安価に可能であり、ジョイントＧを着脱する際の作業性を向上させることが可能であるがこの限りではなく、各締付片６、６を遠近可能に維持することができる限りにおいて適宜選択することが可能であり、例えばクリップ等を用いることも可能である。
【００４５】
以上、本発明の好ましい実施の形態を詳細に説明したが、特許請求の範囲から逸脱することなく改造、変形及び変更を行うことができることは理解すべきである。
【符号の説明】
【００４６】
Ａ、Ｂ  上側蟻溝
Ｃ  下側蟻溝
Ｇ  ジョイント
Ｐ  パイプ
Ｒ  締付具
１  シート定着フレーム
２、３  挟持片
４  抱持部
５  フック
６  締付片
７  挿通孔
【図１】
2010268733.tif 000003
【図２】
2010268733.tif 000004
【図３】
2010268733.tif 000005
【図４】
2010268733.tif 000006
【図５】
2010268733.tif 000007
【図６】
2010268733.tif 000008
【図７】
2010268733.tif 000009
【図８】
2010268733.tif 000010